(57)【要約】      （修正有）【課題】被測定電池を電源とし、電池の残量をＬＥＤなどの灯光で表示することで小型化を図った電池チェッカーを提供する。【解決手段】概略コの字形状に削って窪み部２を設けて箱体１を形成し、該窪み部２の上部に陽極受３を設け、該窪み部２の下部に負極受４を設け、該負極受４の形状は曲板バネ７にする事で電池５の長さ変動に対応し、電池５の両極が極受に接する事で電気が流れて灯部６が点灯し、該灯部６は測定される電池５の電気により点灯或いは点灯しない事で電池の残量が認識できる。灯部６は上下に並んだ二箇所で設置される事が望ましく、電池５の残量が多ければ灯部６は上下の二箇所共に点灯するが、電池５の残量が少なくなれば、灯部６の下の一箇所だけが点灯し、電池５の残量が無くなれば灯部６は無点灯になり結果を表示する。【選択図】図１
0003157563.tif 000002
【実用新案登録請求の範囲】
【請求項１】
箱体１の一方の縁中央部分を窪ませて形成した窪み部２に陽極受３と負極受４とを設け、該極受に被測定電池５をセットし、該被測定電池５が電源と成って光る灯部６を箱体１に設け、該灯部６によって電池５の残量を表示することを特徴とする電池チェッカー。
【請求項２】
灯部６による電池５の残量表示構造として、ＬＥＤライトで形成された灯部６を少なくても二箇所を有し、該極受に被測定電池５をセットした状態で、残量多では全ての灯部６が点灯し、残量少では点灯する灯部６の数が減少し、残量無しの場合は全ての灯部６が無点灯にすることを特徴とする請求項１記載の電池チェッカー。
【請求項３】
単一電池を被測定電池電池５から除外したことを特徴とする請求項１或いは請求項２記載の電池チェッカー。
【考案の詳細な説明】
【技術分野】
【０００１】
本考案は、電池の残量を測定する電池チェッカーに関するものである。詳しくは、残量の測定は電池の電極間電圧を測定し、その測定データを電池の残量として視覚的に表示するものである。
【背景技術】
【０００２】
従来の電池チェッカーは、測定するための電源が電池チェッカーの内部に収納されるために重く大きくなり該電源の残量が無くなれば測定不能になる。また、電池の残量を示す手段が指針又は液晶表示であるために薄暗い場所での測定や視力が劣る人には測定結果が見え難く問題があった。
【先行技術文献】
【特許文献】
【０００３】
【特許文献１】意匠登録１１７６８１０号公報
【考案の概要】
【考案が解決しようとする課題】
【０００４】
解決しようとする問題点は、電池チェッカーが重く大きくなる、電源の残量が無くなれば測定できない、測定結果としての電池の残量が視覚的に判り難い点である。
【課題を解決するための手段】
【０００５】
本考案は、電源を被測定電池とし、電池の残量表示を光り示す灯部とする。好ましくは、灯部をＬＥＤライトとし、該灯部を少なくとも二箇所有し、単一電池を被測定電池から除外することを主要な特徴とする。
【考案の効果】
【０００６】
本考案の電池チェッカーは、被測定電池を電源とするので電源が収納されず軽くコンパクトになり被測定電池の残量が無い場合も残量無しとの測定結果が得られるので測定不能となる状況が無くなり何時でも測定できる。また、測定結果が灯部で表示されるので薄暗い所や視力が劣る人でも見え難いことが無く測定結果が容易に認識できる。さらには、灯部をＬＥＤライトとし少なくとも二箇所設けた極小かつ極軽量な設備で電池の残量多・残量少・残量無の少なくとも三段階を表示でき、被測定電池の中で一番大きな単一電池を除外する事で電池チェッカー箱体が女性の小さな手の平にも余裕で収まる顕著なコンパクト性と扱い易さを得る。
【図面の簡単な説明】
【０００７】
【図１】図１は単二電池測定状態の本考案の電池チェッカーの斜視図である。（実施例１）
【図２】図２は単四電池測定状態の本考案の電池チェッカーの斜視図である。
【図３】図３は本考案の電池チェッカーの斜視図である。
【考案を実施するための形態】
【０００８】
内部に電源を収納せず、測定結果が灯部で容易に認識できる電池チェッカーを、シンプルかつコンパクトな形体で実現した。
【実施例１】
【０００９】
図１は、単二電池測定状態の斜視図であって、元形状は四つ角の丸い矩形である箱体１の一方の側縁を概略コの字形状に削って窪み部２を形成し、該窪み部２の上部に陽極受３を設け、該窪み部２の下部に負極受４を設け、該負極受４の形状は曲板バネ７にする事で電池５の長さ変動に対応し、電池５の両極が極受に接する事で電気が流れて灯部６が点灯し、該灯部６は測定される電池５の電気により点灯或いは点灯しない事で電池の残量が認識できる。灯部６は上下に並んだ二箇所で設置される事が望ましく、電池５の残量が多ければ灯部６は上下の二箇所共に点灯するが、電池５の残量が少なくなれば、図示しているように灯部６の下の一箇所だけが点灯し、電池５の残量が無くなれば灯部６は無点灯になり結果を表示する。残量即ち電圧の設定については、電池チェッカーの使用される状況を考慮し任意に回路設定すれば良く、適切な電圧範囲を考察検証したうえで設定し商品として提供すれば良い。例えば、被測定電池５の電圧が１．２Ｖ以上であれば“残量多”、０．９Ｖ以上１．２Ｖ未満であれば“残量小”、０．９Ｖ未満であれば“残量無”と示されるように設定すれば良い。また、好ましくは、灯部６をＬＥＤライトにすれば少電力でも点灯するので被測定電池が僅かな残量でも灯部６が点灯可能になるうえ、軽量・コンパクトにも寄与する。箱体１は色々な形成方法があるが合成樹脂で射出成形で形成すれば生産効率が良く安価に提供できるので良い。陽極受３や負極受４などは一般に用いられている金属帯を加工形成したもので良い。
【００１０】
窪み部２に於いて、基本はコの字形状であるが、負極受４は曲板バネ７である事から丸く突出しており、測定される電池５の幅半分よりも適宜に広くした幅で幅域８を形成し、幅域８は窪み部２の上下に概略同寸で有し、幅域８の内端を下げて段差域９を形成し、段差域９の下端から逆さＬ字形状に削って短窪み１０を形成し、短窪み１０は適宜に傾斜している事が望ましく、窪み部２の領域内で段差域９を介する外側領域を長窪み１１とし、該長窪み１１は単二と単三の電池５が嵌り込む大きさであり、該短窪み１０は単四の電池５が嵌り込む大きさであり、幅域８は長窪み１１と短窪み１０共に有し、各幅域８を上下に繋いだ各々の領域を長さ域１２とする。
【００１１】
図２は、単四電池測定状態の斜視図であって、単二電池と単三電池の長さは同寸である事から長窪み１１に嵌め込んで測定するが、単四電池５は両者より５ミリ程度短いので短窪み１０で測定し、短窪み１０は上部が単四電池５の幅と概略同寸で箱体１の中央方向へ傾斜しているが、負極受４が曲板バネ７の円形なので電池５の負極に接しており、電池５を短窪み１０に嵌め込む時、段差域９の下端角で塞き止められるが、曲板バネ７の屈伸によって該塞き止めを回避できると同時に電池５の陽極を陽極受３に押し付ける働きも成し、電池５の残量を灯部６の点灯で表示でき、単四電池５の残量が多い場合は上下の灯部６全てが点灯する。
【００１２】
図３は、本考案物単体の斜視図である。主要部の形状や構成は既に記載しているが、補足すると灯部６の色は全てが同色である必要はなく、互いに違う色で点灯することで使用者に情報量を増やすこともできる。また、灯部６の形状は同形状であっても、丸、四角、三角などの別形状にしても良い。
【符号の説明】
【００１３】
１    箱体
２    窪み部
３    陽極受
４    負極受
５    電池
６    灯部
７    曲板バネ
８    幅域
９    段差域
１０  短窪み
１１  長窪み
１２  長さ域
【図１】
0003157563.tif 000003
【図２】
0003157563.tif 000004
【図３】
0003157563.tif 000005
【手続補正書】
【提出日】平成21年11月27日(2009.11.27)
【手続補正１】
【補正対象書類名】実用新案登録請求の範囲
【補正対象項目名】請求項１
【補正方法】変更
【補正の内容】
【請求項１】
箱体１の一方の縁中央部分を窪ませて形成した窪み部２に陽極受３と負極受４とを設け、該陽極受３及び負極受４に被測定電池５をセットし、該被測定電池５が電源と成って光る灯部６を箱体１に設け、該灯部６によって電池５の残量を表示することを特徴とする電池チェッカー。
【手続補正２】
【補正対象書類名】実用新案登録請求の範囲
【補正対象項目名】請求項２
【補正方法】変更
【補正の内容】
【請求項２】
灯部６による電池５の残量表示構造として、ＬＥＤライトで形成された灯部６を少なくても二箇所を有し、該陽極受３及び負極受４に被測定電池５をセットした状態で、残量多では全ての灯部６が点灯し、残量少では点灯する灯部６の数が減少し、残量無しの場合は全ての灯部６が無点灯にすることを特徴とする請求項１記載の電池チェッカー。
【手続補正３】
【補正対象書類名】実用新案登録請求の範囲
【補正対象項目名】請求項３
【補正方法】変更
【補正の内容】
【請求項３】
単一電池を被測定電池５から除外したことを特徴とする請求項１或いは請求項２記載の電池チェッカー。